(57)【要約】【課題】  マルチスクリーンとしたときでもスクリーンユニット間の隙間が小さくスクリーンユニットの開閉でき、しかも各スクリーンユニット間をフラットにできるリアプロジェクション装置を提供することである。【解決手段】  前面に映像や文字情報等を表示するスクリーンユニット１２が筐体１１の開口部に配置されて構成され、スライド手段１４は筐体１１の開口部の前方向の前後にスクリーンユニット１２をスライドさせる。スクリーン着脱手段２０のリフト部１６をリフト部保持部２１で保持してスクリーンユニット２１を着脱自在に取り付け、スクリーンユニット１２が筐体１１の前方にスライドした状態で、伸縮装置１８により支持ポール１７を介してリフト部１６をスクリーンユニット２１を上方に回動させる。【選択図】  図１
2006267255.tif 000002
【特許請求の範囲】
【請求項１】
筐体の開口部に配置され前面に映像や文字情報等を表示するスクリーンユニットと；
前記筐体の開口部の前方向の前後に前記スクリーンユニットをスライドさせるスライド手段と；
前記スライド手段に設けられ、前記スクリーンユニットを着脱自在に取り付けるとともに、前記スクリーンユニットが前記筐体の前方にスライドした状態で前記スクリーンユニットを上方に回動させるスクリーン着脱手段と；
を備えたことを特徴とするリアプロジェクション装置。
【請求項２】
筐体の開口部に配置され前面に映像や文字情報等を表示するスクリーンユニットと；
前記筐体の開口部の前方向の前後に前記スクリーンユニットをスライドさせるスライド手段と；
前記スライド手段に設けられ、前記スクリーンユニットを着脱自在に取り付けるとともに、前記スクリーンユニットが前記筐体の前方にスライドした状態で前記スクリーンユニットを上方に回動させるスクリーン着脱手段と；
前記スクリーンユニットの前面の傾きを調整するためのスクリーン調整手段と；
を備えたことを特徴とするリアプロジェクション装置。
【請求項３】
前記スクリーン着脱手段は、
前記スクリーンユニットと着脱可能に係合し前記スクリーンユニットを保持するリフト部と；
一方端が前記スライド手段に支点として回動自在に取り付けられるとともに他方端が前記リフト部に回動自在に取り付けられ前記リフト部を支持する支持ポールと；
一方端が前記支持ポールの支点より前面側の前記スライド手段に支点として回動自在に取り付けられるとともに他方端が前記支持ポールに摺動可能に取り付けられ、前記リフト部の移動に伴って伸縮し前記支持ポールの摺動位置の変化に伴って前記リフト部を回動させる伸縮装置と；
前記リフト部が前記スライド手段の位置にあるときは前記伸縮装置の伸縮を拘束するストッパーと；
を備えたことを特徴とする請求項１または２記載のリアプロジェクション装置。
【請求項４】
前記筐体と前記スクリーンユニットとを連結したり連結解除したりするロック手段を設けたことを特徴とする請求項１ないし３のいずれか一記載のリアプロジェクション装置。
【請求項５】
前記ロック手段は、
前記スクリーンユニットの背面側に設けられたロック機構部と；
前記筐体に設けられ前記ロック機構部と係合しているときは押圧力の発生はなく前記ロック機構部との係合が解除されたときは前記ロック機構部に押圧力を発生する係止部と；
前記スクリーンユニットの側面側に設けられ前記ロック機構部と前記係止部との係合や係合解除の操作を行う操作部と；
を備えたことを特徴とする請求項４記載のリアプロジェクション装置。
【請求項６】
前記ロック手段は、
前記筐体に設けられ前記スクリーンユニットの背面側方向に押圧力を有した係止部と；
前記スクリーンユニットの背面側に設けられ前記スクリーンユニットの前面に加わる押圧力が所定値以上のときは前記係止部との係合を解除し、所定値以下のときは前記係止部との係合を維持するロック機構部と；
を備えたことを特徴とする請求項４記載のリアプロジェクション装置。
【発明の詳細な説明】
【技術分野】
【０００１】
本発明は、スクリーンユニットの背面側からスクリーンユニットの前面に映像や文字情報等を表示するリアプロジェクション装置に関する。
【背景技術】
【０００２】
リアプロジェクション装置は、筐体の前面に設けられた開口部にスクリーンユニットを配置し、筐体内に光源と光学系とを収納して、スクリーンユニットの背面側から映像や文字情報等の画像を投写するものである。そして、複数のリアプロジェクション装置を積み重ねてマルチスクリーンとし大画面を構成することが行われている。このようなリアプロジェクション装置では光源などの消耗品を使用しているので、筐体内に収納した消耗品が故障したとき、その部品交換などを前面から行えるように、スクリーンユニットを開閉できるようにしている。
【０００３】
光源の交換に費やす時間と労力を少なくするとともに、光源の寿命や温度を表示するようにしたものがある（例えば、特許文献１参照）。すなわち、筐体の前面上部の開口部にスクリーンユニットを回動自在に設け、筐体の内部に光源ユニットと光学系とを配置し、光源ユニットは開口部に近接するように光学系の上方に位置して前面板の内側面に設けた光源収納部内に収納する。これにより、光源の交換時にスクリーンユニットを開くと、開口部から光源を交換することができるようにしている。
【特許文献１】特開平９−２３０２８５号公報
【発明の開示】
【発明が解決しようとする課題】
【０００４】
しかし、特許文献１のものではスクリーンユニットの回動の支点は筐体上部になるので目地部分が太くなる。すなわち、スクリーンユニットの開閉には回転機構を採用しており、その支点が筐体にあるので、スクリーンユニットを回転させたときに上部に位置する筐体にスクリーンユニットが接触することがあるので、その接触を避けるために、各スクリーンユニット間に若干の隙間が必要となる。各スクリーンユニット間に若干の隙間を設けると、複数台の筐体を組み合わせてスクリーンサイズを拡大して使用する場合には、スクリーンユニットの繋ぎ目で画像が切れてしまうという問題点が生じる。
【０００５】
また、マルチスクリーンにおいては、各スクリーンユニット間がフラットであることが重要であるが、スクリーンユニットの開閉のための可動部分がある場合には前後のフラットが不十分になることがある。
【０００６】
本発明の目的は、マルチスクリーンとしたときでもスクリーンユニット間の隙間が小さくスクリーンユニットの開閉ができ、しかも各スクリーンユニット間をフラットにできるリアプロジェクション装置を提供することである。
【課題を解決するための手段】
【０００７】
請求項１の発明に係わるリアプロジェクション装置は、筐体の開口部に配置され前面に映像や文字情報等を表示するスクリーンユニットと；前記筐体の開口部の前方向の前後に前記スクリーンユニットをスライドさせるスライド手段と；前記スライド手段に設けられ、前記スクリーンユニットを着脱自在に取り付けるとともに、前記スクリーンユニットが前記筐体の前方にスライドした状態で前記スクリーンユニットを上方に回動させるスクリーン着脱手段と；を備えたことを特徴とする。
【０００８】
本発明及び以下の発明において、特に指定しない限り用語の定義及び技術的意味は以下による。
【０００９】
リアプロジェクション装置は筐体とスクリーンユニットとを備えており、筐体内に光源と光学系とを収納して、筐体の開口部にスクリーンユニットを配置して構成される。そして、スクリーンユニットの背面側から映像や文字情報等の画像をスクリーンユニットの前面に投写するものである。複数のリアプロジェクション装置を縦横に配置してマルチスクリーンを構成することも可能である。
【００１０】
スライド手段は、例えば、筐体の内部側面部に設けられスクリーン着脱手段を介してスクリーンユニットを保持し、スクリーンユニットを開口部の前方向の前後にスライドさせる機構である。筐体の開口部に配置されたスクリーンユニットを前方に引き出したり、前方に引き出したスクリーンユニットを筐体の開口部の位置まで戻したりする。すなわち、筐体の開口部の前方向においてスクリーンユニットを前後にスライドさせる。
【００１１】
スクリーン着脱手段はスライド手段に設けられ、スクリーンユニットが着脱自在に取り付けられる。そして、スライド手段によりスクリーンユニットが筐体の前方にスライドした状態で、スクリーンユニットを上方に回動させるものである。
【００１２】
これにより、筐体からスクリーンユニットを筐体の前方にスライドさせ、その後にスクリーンユニットを上方に回動させる。さらに、スクリーンユニットを上方に回動させた後にスクリーン着脱手段からスクリーンユニットを取り外すこともできる。従って、隣り合う筐体間の隙間を小さくでき、筐体の前面から部品の交換やメンテナンス作業を行うことができる。
【００１３】
請求項２の発明に係わるリアプロジェクション装置は、筐体の開口部に配置され前面に映像や文字情報等を表示するスクリーンユニットと；前記筐体の開口部の前方向の前後に前記スクリーンユニットをスライドさせるスライド手段と；前記スライド手段に設けられ、前記スクリーンユニットを着脱自在に取り付けるとともに、前記スクリーンユニットが前記筐体の前方にスライドした状態で前記スクリーンユニットを上方に回動させるスクリーン着脱手段と；前記スクリーンユニットの前面の傾きを調整するためのスクリーン調整手段と；を備えたことを特徴とする。
【００１４】
本発明は、請求項１の発明に対してスクリーン調整手段を追加して設けたものである。スクリーン調整手段は、スクリーン着脱手段がスクリーンユニットを保持する位置を調整するものであり、例えば、スクリーンユニットの四隅でその保持位置を調整する。これにより、複数のリアプロジェクション装置によりマルチスクリーンを構成した場合の各々のスクリーンユニットをフラットに調整することができる。
【００１５】
請求項３の発明に係わるリアプロジェクション装置は、請求項１または２の発明において、前記スクリーン着脱手段は、前記スクリーンユニットと着脱可能に係合し前記スクリーンユニットを保持するリフト部と；一方端が前記スライド手段に支点として回動自在に取り付けられるとともに他方端が前記リフト部に回動自在に取り付けられ前記リフト部を支持する支持ポールと；一方端が前記支持ポールの支点より前面側の前記スライド手段に支点として回動自在に取り付けられるとともに他方端が前記支持ポールに摺動可能に取り付けられ、前記リフト部の移動に伴って伸縮し前記支持ポールの摺動位置の変化に伴って前記リフト部を回動させる伸縮装置と；前記リフト部が前記スライド手段の位置にあるときは前記伸縮装置の伸縮を拘束するストッパーと；を備えたことを特徴とする。
【００１６】
本発明は、請求項１または２の発明のスクリーン着脱手段の具体的な構成を特定したものである。
【００１７】
リフト部は、スクリーンユニットと着脱可能に係合しスクリーンユニットを保持するものであり、例えば、スクリーンユニットに設けられたリフト部保持部と着脱可能に係合してスクリーンユニットを保持する。
【００１８】
支持ポールは、一方端がスライド手段に支点として回動自在に取り付けられるとともに、他方端がリフト部に回動自在に取り付けられリフト部を支持するものである。支持ポールはスライド手段の支点を中心に回動し、この回動に伴ってリフト部を上方に回動させる。これにより、リフト部により保持されたスクリーンユニットが上方に回動する。
【００１９】
伸縮装置は、一方端が支持ポールの支点より前面側のスライド手段に支点として回動自在に取り付けられるとともに他方端が支持ポールに摺動可能に取り付けられる。伸縮装置は例えばダンパ機構で構成され、常時伸張力を保持している。伸縮装置の一方端が支持ポールの支点より前面側のスライド手段に支点として設けているのは、リフト部がスライド手段の位置にあるときに伸縮装置の伸張力により支持ポールを移動させないようにするためである。ストッパーは、リフト部がスライド手段の位置にあるときに伸縮装置の伸張力を拘束するために設けられている。
【００２０】
伸縮装置は、スクリーンユニットに連動してリフト部が筐体の前方に引き出されたとき、スライド手段の支点を中心に回動する。伸縮装置は常時伸張力を保持しているので、リフト部の移動に伴って伸張し支持ポールの摺動位置を変化させ、この摺動位置の変化に伴ってリフト部を回動させる。
【００２１】
請求項４の発明に係わるリアプロジェクション装置は、請求項１ないし３のいずれか一の発明において、前記筐体と前記スクリーンユニットとを連結したり連結解除したりするロック手段を設けたことを特徴とする。
【００２２】
本発明は、請求項１ないし３のいずれか一の発明に対し、ロック手段を追加して設けたものである。ロック手段は筐体とスクリーンユニットとを連結したり連結解除したりするものである。
【００２３】
ロック手段は、スライド手段に着脱可能に取り付けられたスクリーンユニットが不用意に外れないように、例えばロック機構部と係止部とを有しスクリーンユニットを筐体にロックする。
【００２４】
請求項５の発明に係わるリアプロジェクション装置は、請求項４の発明において、前記ロック手段は、前記スクリーンユニットの背面側に設けられたロック機構部と；前記筐体に設けられ前記ロック機構部と係合しているときは押圧力の発生はなく前記ロック機構部との係合が解除されたときは前記ロック機構部に押圧力を発生する係止部と；前記スクリーンユニットの側面側に設けられ前記ロック機構部と前記係止部との係合や係合解除の操作を行う操作部と；を備えたことを特徴とする。
【００２５】
本発明は、請求項４のロック手段の具体的な構成を特定したものである。ロック手段は、スクリーンユニットの背面側にロック機構部を設け、筐体にロック機構部と係合する係止部を設け、ロック機構部と係止部との係合や係合解除の操作を行う操作部をスクリーンユニットの側面側に設けて構成される。係止部は、ロック機構部と係合しているときは押圧力の発生はなく、ロック機構部との係合が解除されたときはロック機構部に押圧力を発生する機能を有する。これにより、操作部によりロックが解除されたときはロック機構部を介してスクリーンユニットが前方に押し出される。
【００２６】
請求項６の発明に係わるリアプロジェクション装置は、前記ロック手段は、前記筐体に設けられ前記スクリーンユニットの背面側方向に押圧力を有した係止部と；前記スクリーンユニットの背面側に設けられ前記スクリーンユニットの前面に加わる押圧力が所定値以上のときは前記係止部との係合を解除し、所定値以下のときは前記係止部との係合を維持するロック機構部と；を備えたことを特徴とする。
【００２７】
本発明は、操作部を必要としないロック手段の具体的な構成を特定したものである。スクリーンユニットの背面側にロック機構部を設け、筐体にロック機構部と係合する係止部を設けて構成される。
【００２８】
係止部はスクリーンユニットの背面側方向に押圧力を有してロック機構部と係合する。ロック機構部は、スクリーンユニットの前面に加わる押圧力が所定値以上のときは係止部との係合を解除し、所定値以下のときは係止部との係合を維持する。これにより、ロック機構部と係止部との係合や係合解除の操作を行う操作部が不要となる。
【発明の効果】
【００２９】
請求項１、３の発明によれは、スライド手段によってスクリーンユニットを前方に引き出すことが可能となり、マルチスクリーンを構成したときに隣接する筐体との隙間を小さくできる。また、スクリーン着脱手段によってスクリーンユニットを上方に回動させるので、スクリーンユニットを取り付けたままでも開閉が可能であり、ランプ交換などの簡単な作業は短時間ですませることができる。さらにスクリーンユニットを外すこともできるので、筐体の前面を開放することができ前面からの作業が可能となる。
【００３０】
請求項２の発明によれば、スクリーン調整手段によりスクリーンユニットをフラットに調整できるので、マルチスクリーンを構成した場合の各々のスクリーンユニットをフラットに調整できる。
【００３１】
請求項４、５、６の発明によれば、ロック手段によりスクリーンユニットを筐体にロックできるので、スライド手段に着脱可能に取り付けられたスクリーンユニットが不用意に外れないようにできる。
【発明を実施するための最良の形態】
【００３２】
図１は本発明の実施の形態に係わるリアプロジェクション装置の構成図であり、図１（ａ）は筐体１１の斜視図、図１（ｂ）はスクリーンユニット１２の斜視図である。図１（ａ）において、筐体１１の内部側面部には開口部１３に向けてスライド手段１４が設けられている。スライド手段１４はスライドレール１５に案内されて、筐体１１の開口部１３の前方向の前後にスライド可能となっている。
【００３３】
スライド手段１４の先端部には、リフト部１６、支持ポール１７、伸縮装置１８、ストッパー１９からなるスクリーン着脱手段２０が設けられている。スクリーン着脱手段２０のリフト部１６は、スクリーンユニット１２を保持するものであり、図１（ｂ）に示すように、スクリーンユニット１２のリフト部保持部２１に着脱可能に係合してスクリーンユニット１２を保持する。
【００３４】
支持ポール１７は、一方端がスライド手段１４に支点Ａ１として回動自在に取り付けられるとともに、他方端がリフト部１６に支点Ａ２として回動自在に取り付けられている。これによりリフト部１６を支持する。伸縮装置１８は、一方端がスライド手段１４に支点Ｂ１として回動自在に取り付けられるとともに他方端が支持ポール１７に支点Ｂ２として摺動可能に取り付けられている。伸縮装置１８は、例えばダンパ機構で構成され、常時伸張力を保持している。ストッパー１９は、リフト部１６がスライド手段１４の位置にあるときに伸縮装置１８の伸張力を拘束するために設けられている。
【００３５】
図２は、スクリーン着脱手段２０の動作状態の説明図である。図２（ａ）はリフト部１６がスライド手段１４の位置にあるときの状態を示している。伸縮装置１８は、一方端が支持ポール１７の支点Ａ１より距離ｄだけ前面側の位置に支点Ｂ１として取り付けられている。これは、リフト部１６がスライド手段１４の位置にあるときに伸縮装置１８の伸張力により、図２（ａ）の右上方に、支持ポール１７を介してリフト部１６を押し上げる力を働かせるためである。すなわち、リフト部１６を押し上げる力に図２（ａ）の右方向成分を持たせ、リフト部１６が図２（ｂ）の左方向に移動しないようにするためである。このときの押し上げ力は、ストッパー１９により受け止められる。これにより、伸縮装置１８の支点Ｂ２が伸縮装置１８の支点Ｂ１より後ろ側にあるときは、リフト部１６で保持されたスクリーンユニット１２は閉まる方向に働き、前側にある場合はスクリーンユニット１２は開く方向に働く。
【００３６】
図２（ａ）の状態では、伸縮装置１８は支持ポール１７を介してリフト部１６を右上方に押し上げ、その押し上げ力をストッパー１９で受け止めているのでリフト部１６は静止している。この状態でスクリーンユニット１２が筐体１１から前方に引き出されると、スクリーンユニット１２に連動してリフト部１６が筐体１１の前方に引き出される。そうすると、図２（ｂ）に示すように、伸縮装置１８はスライド手段１４の支点Ｂ１を中心に回動するとともに、伸張して支持ポール１７を左上方に押し上げるように作用する。この押し上げ力により、支持ポール１７はスライド手段１４の支点Ａ１を中心に回動する。
【００３７】
そして、図２（ｃ）に示すように、伸縮装置１８は支持ポール１７を上方に押し上げ、これによりリフト部１６を上方に押し上げ、リフト部１６に保持されたスクリーンユニット１２を上方に押し上げる。従って、スクリーンユニット１２は筐体１１の開口部１３の上方に位置することになる。
【００３８】
このように、筐体１１にスライドレール１５に案内されて前後に移動するスライド手段１３を設け、スクリーンユニット１２をスライド手段１４により筐体１１から引き出した後に上方向に持ち上げる。そうすると、スクリーン着脱手段２０の伸縮装置１８により支持ポールを介してリフト部１６を上方に押し上げる力が働くので、リフト部１６が回動しながら筐体１１の開口部１３の上方に移動する。これにより、部品交換などの簡単な作業は、スクリーンユニット１２をリフト部１６に装着したままで行えるので短時間で行える。また、リフト部１６とスクリーンユニット１２とは着脱可能となっているので、例えば、投射画像の位置を調整などの煩雑な作業を行うときは、スクリーンユニット１２をリフト部１６から取り外すことが可能である。
【００３９】
次に、スクリーンユニット１２の前面の傾きを調整するためのスクリーン調整手段について説明する。図３は、複数のリアプロジェクション装置１０を用いたマルチスクリーン装置の説明図であり、図３（ａ）はマルチスクリーン装置の正面図、図３（ｂ）はリアプロジェクション装置１０のスクリーンユニット１２部分の平面図である。図３（ａ）では６台のリアプロジェクション装置１０を用いてマルチスクリーン装置を形成したものを示している。このように、複数台のリアプロジェクション装置１０を用いてマルチスクリーン装置を形成した場合には、図３（ｂ）に示すように、各々のリアプロジェクション装置１０のスクリーンユニット１２が必ずしもフラットになっていないことがある。
【００４０】
図４は、スクリーン調整手段２２の説明図である。スクリーン調整手段２２は、スクリーン着脱手段２０のリフト部１６がスクリーンユニット１２を保持する位置を調整するものである。スクリーン調整手段２２は、スクリーンユニット１２のリフト部保持部２１に設けられ、スクリーンユニット１２のリフト部保持部２１をリフト部１６に引っ掛けるようになっている。スクリーン調整手段２２は、２つの調整ネジ２３を持ち、引っ掛けられたスクリーンユニット１２のリフト部保持部２１の位置を調整ネジ２３で調整する。これにより、複数のリアプロジェクション装置１０によりマルチスクリーン装置を構成した場合の各々のスクリーンユニット１０をフラットに調整することができる。
【００４１】
次に、筐体１１とスクリーンユニット１２とを連結したり連結解除したりするロック手段について説明する。図５は、ロック手段の一例を示す説明図である。ロック手段は、ロック機構部２４と、係止部２５と、操作部２６とから構成される。図５（ａ）、（ｂ）に示すように、スクリーンユニット１２の背面側にはロック機構部２４が設けられ、図５（ｃ）に示すように、筐体１１にはロック機構部２４と係合する係止部２５が設けられている。また、図５（ａ）、（ｂ）に示すように、ロック機構部２４と係止部２５との係合や係合解除の操作を行う操作部２６がスクリーンユニット１２の側面側に設けられている。図５（ａ）はロック機構部２４が係止部２５と係合しているときのロック機構部２４及び操作部２６の位置を示しており、図５（ａ）の矢印方向に操作部２６を操作すると、図５（ｂ）に示すように、ロック機構部２４が傾き係止部２５との係合を解除することになる。
【００４２】
図６は、ロック機構部２４と係止部２５との係合状態の説明図である。図６（ａ）はロック機構部２４が係止部２５と係合しているときの状態を示しており、図６（ｂ）はロック機構部２４が係止部２５と係合解除されたときの状態を示している。
【００４３】
係止部２５はロック機構部２４側に押圧力を発生する機能を有している。図６（ａ）、（ｂ）ではバネ部材で押圧力を発生する場合を示している。図６（ａ）に示すように、係止部２５がロック機構部２４と係合しているときは押圧力の発生はなく、ロック機構部２４は係止部２５と係合している。一方、操作部２６の操作により、ロック機構部２４が図５（ｂ）の状態となったときは、図６（ｂ）に示すように、ロック機構部２４側から係止部２５に押圧力Ｆ１が働き、係止部２５との係合が解除されるとともに、係止部２５は押圧力Ｆ１に対抗する押圧力Ｆ２をバネ部材により発生する。これにより、操作部２６によりロックが解除されたときは、係止部２４からロック機構部２４を介して押圧力Ｆ２が働きスクリーンユニット１２が前方に押し出される。このロック手段により、スクリーンユニット１２が不用意に筐体１１から外れないようにしている。
【００４４】
図７は、ロック手段の他の一例におけるロック機構部２４と係止部２５との係合状態の説明図である。この一例は、操作部２６を必要としないロック手段である。図７（ａ）はロック機構部２４が係止部２５と係合しているときの状態を示しており、図７（ｂ）はロック機構部２４が係止部２５と係合解除されたときの状態を示している。
【００４５】
図７（ａ）に示すように、係止部２５ａ、２５ｂはスクリーンユニット１２の背面側方向に押圧力を有してロック機構部２４と係合している。ロック機構部２４は、スクリーンユニット１２の前面に加わる押圧力が所定値以上のときは、図７（ｂ）に示すように上方に撓み、係止部２５ａ、２５ｂとの係合を解除する。一方、所定値以下のときは係止部２５ａ、２５ｂとの係合を維持する。これにより、ロック機構部２４と係止部２５ａ、２５ｂとの係合や係合解除の操作を行う操作部が不要となる。
【００４６】
以上述べたように、本発明の実施の形態によれば、スクリーンユニット１２を筐体１１から取り外すには、ロック手段により筐体１１とスクリーンユニット１２との係合を解除し、スクリーンユニット１２を前方に引き出してから上方に回動させるので、スクリーンユニット１２を取り付けたままで筐体１１の開口部を開放できる。従って、簡単な作業はスクリーンユニット１２を取り付けたままで作業できる。また、マルチスクリーンを構成した場合の各々のスクリーンユニットをフラットに調整できる。
【図面の簡単な説明】
【００４７】
【図１】本発明の実施の形態に係わるリアプロジェクション装置の構成図。
【図２】本発明の実施の形態におけるスクリーン着脱手段の動作状態の説明図。
【図３】本発明の実施の形態に係わるリアプロジェクション装置を用いて形成したマルチスクリーン装置の説明図。
【図４】本発明の実施の形態におけるスクリーン調整手段の説明図。
【図５】本発明の実施の形態におけるロック手段の一例を示す説明図。
【図６】図５に示したロック手段のロック機構部と係止部との係合状態の説明図。
【図７】本発明の実施の形態におけるロック手段の他の一例のロック機構部と係止部との係合状態の説明図。
【符号の説明】
【００４８】
１０…リアプロジェクション装置、１１…筐体、１２…スクリーンユニット、１３…開口部、１４…スライド手段、１５…スライドレール、１６…リフト部、１７…支持ポール、１８…伸縮装置、１９…ストッパー、２０…スクリーン着脱手段、２１…リフト部保持部、２２…スクリーン調整手段、２３…調整ネジ、２４…ロック機構部、２５…係止部、２６…操作部
【図１】
2006267255.tif 000003
【図２】
2006267255.tif 000004
【図３】
2006267255.tif 000005
【図４】
2006267255.tif 000006
【図５】
2006267255.tif 000007
【図６】
2006267255.tif 000008
【図７】
2006267255.tif 000009